(57)【要約】      （修正有）【課題】落下方向又は落下角度を制御して落下による損壊を防止できる耐落下携帯電話を提供する。【解決手段】耐落下携帯電話は本体と処理装置とを含む。処理装置は本体内に設けられ、本体は表示面と表示面に相対する背面とを含む。携帯電話は、耐衝撃保護部、落下検出ユニット１５及び角度調節ユニット１４を更に含む。耐衝撃保護部は、本体上に設けられ、落下検出ユニットと角度調節ユニットは、本体内に位置するとともにそれぞれ処理装置に接続される。処理装置は、落下検出ユニットからの信号を受信して処理する。角度調節ユニットは、処理装置からの制御信号でバルブ１４５を制御し、高圧気体貯蔵室１４３内の高圧気体を噴気孔１２１、１２２から噴出して、携帯電話の落下方向又は落下角度を制御する。【選択図】図３
0003198609.tif 000002
【実用新案登録請求の範囲】
【請求項１】
本体と処理装置とを含み、該処理装置は前記本体内に設けられ、該本体は表示面と表示面に相対する背面とを含む、耐落下携帯電話において、
前記携帯電話は耐衝撃保護部と落下検出ユニットと角度調節ユニットとを更に含み、前記耐衝撃保護部は前記本体上に設けられ、前記落下検出ユニットと前記角度調節ユニットは前記本体内に位置するとともに前記処理装置に接続され、該処理装置は前記落下検出ユニットからの信号を受信し、前記角度調節ユニットは前記処理装置からの制御信号で前記携帯電話の落下方向（又は落下角度）を制御することを特徴とする耐落下携帯電話。
【請求項２】
前記耐衝撃保護部は携帯電話の下部の側面及び背面上に設けられることを特徴とする請求項１に記載の耐落下携帯電話。
【請求項３】
前記落下検出ユニットは加速度計を含むことを特徴とする請求項１に記載の耐落下携帯電話。
【請求項４】
前記落下検出ユニットは時間計量計を更に含むことを特徴とする請求項３に記載の耐落下携帯電話。
【請求項５】
前記角度調節ユニットは、気体進入口、気体圧縮装置、高圧気体貯蔵室、気体噴射管及びバルブを含み、前記気体進入口、前記気体圧縮装置と前記高圧気体貯蔵室とは管路によって順に連結され、前記気体噴射管と前記高圧気体貯蔵室とは連通し、前記バルブは前記気体噴射管上に設けられることを特徴とする請求項１に記載の耐落下携帯電話。
【請求項６】
前記角度調節ユニットは、気体生成装置、気体噴射管及びバルブを含み、前記気体噴射管と前記気体生成装置とは連通し、前記バルブは前記気体噴射管上に設けられることを特徴とする請求項１に記載の耐落下携帯電話。
【考案の詳細な説明】
【技術分野】
【０００１】
本考案は、電子装置分野に関し、特に落下によって損壊することを防止できる携帯電話に関するものである。
【背景技術】
【０００２】
携帯電話は、日常生活で常に使用している電子装置である。携帯電話を常に携帯し、常に使用しているため、携帯電話を落とすことを完全に避けることができない。これによって携帯電話が損壊するおそれがある。
【０００３】
現在、常用する携帯電話の保護方法は、携帯電話上に携帯電話保護カバーを取り付けることである。しかし、携帯電話保護カバーは、携帯電話の表示部を覆うことができず、携帯電話の背面または側面しか覆うことができないので、携帯電話に対する保護効果がよくない。携帯電話保護カバーは、携帯電話を保護する一定の効果を奏することができるが、これによって携帯電話の外観が悪くなり、携帯電話の重量及び厚さを増加させるおそれがある。
【考案の概要】
【考案が解決しようとする課題】
【０００４】
そのため、本考案は、携帯電話の落下によって携帯電話が損壊することを避けることができる耐落下携帯電話を提供する。
【課題を解決するための手段】
【０００５】
本考案に係る耐落下携帯電話は、本体と処理装置とを含む。前記処理装置は、前記本体内に設けられ、該本体は、表示面と表示面に相対する背面とを含む。前記携帯電話は、耐衝撃保護部、落下検出ユニット及び角度調節ユニットを更に含む。前記耐衝撃保護部は、前記本体上に設けられ、前記落下検出ユニットと前記角度調節ユニットは、前記本体内に位置するとともにそれぞれ前記処理装置に接続される。前記処理装置は、前記落下検出ユニットからの信号を受信し、前記角度調節ユニットは、前記処理装置からの制御信号で前記携帯電話の落下方向（又は落下角度）を制御する。
【０００６】
前記耐衝撃保護部は携帯電話の下部の側面及び背面上に位置する。
【０００７】
前記落下検出ユニットは加速度計を含む。
【０００８】
前記落下検出ユニットは時間計量計を更に含む。
【０００９】
前記角度調節ユニットは、気体進入口、気体圧縮装置、高圧気体貯蔵室、気体噴射管及びバルブを含む。前記気体進入口、前記気体圧縮装置と前記高圧気体貯蔵室とは管路によって順に連結される。前記気体噴射管と前記高圧気体貯蔵室とは連通し、前記バルブは前記気体噴射管上に設けられる。
【００１０】
前記角度調節ユニットは、気体生成装置、気体噴射管及びバルブを含む。前記気体噴射管と前記気体生成装置とは連通し、前記バルブは前記気体噴射管上に設けられる。
【考案の効果】
【００１１】
前記耐落下携帯電話が耐衝撃可能な耐衝撃保護部を具備することにより、携帯電話が衝撃を受けるとき、携帯電話の内部の部品を保護することができる。携帯電話内には落下検出ユニットが設けられており、携帯電話内の処理装置は、落下検出ユニットからの情報を受信して処理することにより、携帯電話が落下状態に入っているかどうかを判断することができる。角度調節ユニットは、処理装置からの信号で携帯電話の落下方向（又は落下角度）を制御することにより、携帯電話が落下するときに耐衝撃可能な耐衝撃保護部と地面とが先に接触・衝突するようにすることができる。これによって、携帯電話の重要な部位を保護し、携帯電話が落ちて壊れることを防止することができる。
【図面の簡単な説明】
【００１２】
【図１】本考案の実施例に係る耐落下携帯電話を示す正面図である。
【図２】本考案の実施例に係る耐落下携帯電話を示す背面図である。
【図３】本考案の実施例に係る耐落下携帯電話の処理装置、落下検出ユニット及び角度調節ユニットを示す図である。
【図４】本考案の実施例に係る耐落下携帯電話の落下状態、落下方向（又は落下角度）を変化させることを示す図である。
【図５】本考案の実施例に係る耐落下携帯電話の他の落下状態、落下方向（又は落下角度）を変化させることを示す図である。
【図６】本考案の他の実施例に係る耐落下携帯電話の処理装置、落下検出ユニット及び角度調節ユニットを示す図である。
【考案を実施するための形態】
【００１３】
以下、本考案の図面及び実施例により本考案の実施例に係る耐落下携帯電話を詳細に説明する。
【００１４】
図１〜図３を参照すると、本考案の実施例に係る耐落下携帯電話１００が示されており、これは本体１０を含む。本体１０は、表示面１１と、表示面１１に相対する背面１２と、表示面１１と背面１２との間に接続された四つの側面（図示せず）とを含む。本体１０上には耐衝撃保護部１３が設けられ、該本体１０内には、処理装置（図示せず）、落下検出ユニット１５及び角度調節ユニット１４が設けられている。前記落下検出ユニット１５及び角度調節ユニット１４はそれぞれ処理装置に接続される。処理装置は、落下検出ユニット１５からの信号を受信するとき、携帯電話が落下状態に入っているかどうかを判断するとともに角度調節ユニット１４をオープンさせるかどうかを判断する。角度調節ユニット１４をオープンさせる場合、当該角度調節ユニット１４が処理装置からの制御信号で携帯電話１００の落下方向（又は落下角度）を制御することにより、本体１０の耐衝撃保護部１３が地面（下方向）に向かい、かつ耐衝撃保護部１３と地面とが接触・衝突するようにする。これによって、携帯電話が落ちて壊れることを防止することができる。
【００１５】
処理装置は携帯電話の中央処理装置であるか、或いは他の処理型チップを採用することができる。
【００１６】
耐衝撃保護部１３は強度が強い材料で形成することができる。具体的な実施例において、耐衝撃保護部１３を携帯電話の下部の側面及び背面１２上に設けることができるが、本考案はこれに限定されるものではない。他の実施例において、耐衝撃保護部１３を背面１２全面に設けるか、或いは側面上に設けることができる。また、耐衝撃保護部１３を交換可能な部品に設けることにより、携帯電話の使用の多様化及び外観の多様化を奏することができる。
【００１７】
落下検出ユニット１５は携帯電話１００の落下過程を検出する。例えば、携帯電話１００が、自由に落下するか或いは自由に落下するとともにこの速度が所定の速度を超えたことと、耐衝撃保護部１３が地面に向かっていないこととを検出した場合、落下検出ユニット１５は角度調節ユニット１４をオープンさせることができる。角度調節ユニット１４は、落下中の携帯電話の落下方向（又は落下角度）を制御することにより、耐衝撃保護部１３が地面（下方向）に向かい、かつ耐衝撃保護部１３と地面とが接触・衝突するようにする。すなわち、耐衝撃保護部１３が衝撃を受けることによって、携帯電話１００内の部品と壊れやすい表示面とを保護し、携帯電話１００が落ちて壊れることを防止することができる。
【００１８】
落下検出ユニット１５は加速度計１５１を含むことができる。加速度計１５１は、携帯電話の加速度、加速度の方向及び現在携帯電話の落下方向（又は落下角度）を検出し、かつ検出して得た情報を処理装置に受信する。これにより、携帯電話１００が自由落下体になっているかどうか判断するとともに携帯電話１００を回転させる角度を判断する。また、落下検出ユニット１５は時間計量計１５２を更に含むことができる。時間計量計１５２は、携帯電話１００が落下する時間の長さを検出するとともにこれを処理装置に受信する。携帯電話１００が所定の時間落下したら角度調節ユニット１４がオープンするように時間計量計１５２を設定することにより、携帯電話１００の耐落下の効率及び効果を更に向上させることができる。
【００１９】
前記角度調節ユニット１４は、気体進入口１４１、気体圧縮装置１４２、高圧気体貯蔵室１４３、気体噴射管１４４及びバルブ１４５を含む。気体進入口１４１、気体圧縮装置１４２と高圧気体貯蔵室１４３とは管路１４０によって順に連結される。気体噴射管１４４と高圧気体貯蔵室１４３とは連通し、バルブ１４５は気体噴射管１４４上に設けられる。具体的な実施例において、気体噴射管１４４はそれぞれ噴気孔１２１、１２２に連結され、かつバルブ１４５で気体の噴射を制御する。角度調節ユニット１４を使用するとき、気体進入口１４１から進入した空気は、気体圧縮装置１４２の作用によって高圧気体に圧縮されるとともに高圧気体貯蔵室１４３に貯蔵される。携帯電話の処理装置が携帯電話の落下状態を検出した場合、処理装置は、バルブ１４５をオープンさせることにより高圧気体が所定の噴気孔１２１、１２２から噴出するようにする。すなわち、（高圧気体の噴出で）携帯電話１００に作用力を与えることにより、携帯電話１００が落下するとき携帯電話１００の落下方向（又は落下角度）を変化させることができる。通常の実施例において、高圧気体貯蔵室１４３が所定の高圧気体を貯蔵することができるので、想像外の状況が発生する場合、これをすぐ使用することができ、またこれで設備の処理能力を低減することで、コストを更に低減することができる。
【００２０】
前記噴気孔は二個であり、これらはそれぞれ携帯電話の背面１２の上部の第一噴気孔１２１と携帯電話の背面１２の下部の第二噴気孔１２２とである。第一噴気孔１２１と第二噴気孔１２２は異なる状況で処理装置の制御に従って自己の作用を奏する。しかし、本考案は、上述した事項に限定されるものではない。他の実施例において、噴気孔は一個、三個又は複数個であることができ、かつ制御構造の設計及び外観の設計によりそれらを表示面１１上に設けるか、或いは表示面１１と背面１２上に同時設けることができる。
【００２１】
処理装置は落下検出ユニット１５で携帯電話１００の落下状態を判断する。耐衝撃保護部１３が上に位置しかつ背面１２が下に向かっているとき、図４に示されたとおり、処理装置は、所定の一つのバルブ１４５を制御することにより、高圧気体が第一噴気孔１２１から噴出し、携帯電話の落下方向を変化させる。処理装置が落下検出ユニット１５で携帯電話１００の落下状態を検出し、かつ耐衝撃保護部１３が下に位置しかつ表示面１１が下に向かっているとき、図５に示されたとおり、処理装置は、所定の一つのバルブ１４５を制御することにより、高圧気体が第二噴気孔１２２から噴出し、携帯電話の落下方向を変化させる。
【００２２】
前記角度調節ユニット１４は上述した事項に限定されるものではない。図６に示される他の実施例において、気体進入口１４１、気体圧縮装置１４２及び高圧気体貯蔵室１４３の代わりに気体生成装置２４１を使用することができる。気体生成装置２４１には気体発生剤が収納されている。気体生成装置２４１を使用するとき、処理装置で気体発生剤を制御することにより、これが化学反応をしかつ瞬間に大量の気体を発生させるようにする。かつ、バルブ２４５でその気体の気体噴射管２４４からの噴出量を制御することにより、携帯電話の落下方向（又は落下角度）を変化させることができる。
【符号の説明】
【００２３】
１００  耐落下携帯電話
１０  本体
１１  表示面
１２  背面
１２１  第一噴気孔
１２２  第二噴気孔
１３  耐衝撃保護部
１５  落下検出ユニット
１４  角度調節ユニット
１４１  気体進入口
１４２  気体圧縮装置
１４３  高圧気体貯蔵室
１４４  気体噴射管
１４５  バルブ
１４０  管路
１５  落下検出ユニット
１５１  加速度計
１５２  時間計量計
２４１  気体生成装置
２４４  気体噴射管
２４５  バルブ
【図１】
0003198609.tif 000003
【図２】
0003198609.tif 000004
【図３】
0003198609.tif 000005
【図４】
0003198609.tif 000006
【図５】
0003198609.tif 000007
【図６】
0003198609.tif 000008